(57)【要約】【課題】  遊技機の前扉前面に設けられたコントロールパネルの厚みにより、前扉の開放時に隣設の遊技機に対して干渉する問題を解決する。【解決手段】  前扉を蝶番によって開閉可能に本体に支持する遊技機であって、前記蝶番は前記前扉を開閉する回転軸を略水平方向に配置され、前扉は略水平に配置された蝶番の回転軸を中心に回動することによって開閉することを特徴とする遊技機の前扉用蝶番。【選択図】  図２
2005111223.tif 000002
【特許請求の範囲】
【請求項１】
前扉を蝶番によって開閉可能に本体に支持する遊技機であって、前記蝶番は前記前扉を開閉する回転軸を略水平方向に配置していることを特徴とする遊技機。
【請求項２】
前記遊技機は前記前扉と受け皿とを備え、前記前扉は前記受け皿と別体に開閉することを特徴とする請求項１記載の遊技機。
【請求項３】
前記遊技機は、投入されたコインを識別するコインセレクタと払い出されたコインを前記受け皿に送り出すコインシュートとを備え、前記コインセレクタ及び前記コインシュートは本体に搭載されていることを特徴とする請求項１または２記載の遊技機。
【請求項４】
前記遊技機は、前記前扉と前記本体との間に前記前扉の開閉を制動する緩衝器を備えていることを特徴とする請求項１乃至３のいずれかに記載の遊技機。
【発明の詳細な説明】
【技術分野】
【０００１】  本発明はパチンコ、スロットマシン等の遊技機の正面に開閉可能に取付けられる前扉を備える遊技機に関する。
【背景技術】
【０００２】  従来、遊技機の正面には、前扉を開閉可能に取り付けられ、前扉の前面にはスタートレバーやベットボタン、ストップボタン、コイン投入口などの遊技を行うための機器が配置されたコントロールパネルを備えている。さらに、前扉の後面にはコイン投入口から投入されたコイン識別するためのコインセレクタや、遊技機内に設けられたコイン払い出し装置から排出されたコインをコイン受け皿に送出するコインシュートなどが設けられている。また、前扉は、その背面側端部に蝶番を備えており、蝶番を介して遊技機の本体開口端に開閉可能に取り付けられている。このような従来の遊技機では、前扉は略鉛直方向に配設された蝶番の回転軸を中心に略水平方向に回動することにより開閉され、遊技機の修理や保守等の際には、前扉を開き、遊技機内部に配置されたコイン払い出し装置や制御装置等の機器の操作を行っている。
【特許文献１】  特許２５２５６３４号公報（図３）
【発明の開示】
【発明が解決しようとする課題】
【０００３】  しかしながら、他の遊技機との差別化を図るために、遊技機の前扉のデザインは複雑・多様化し、凹凸形状を大きくすることによる意匠性及び操作性の向上、演出装置を設置するための空間の確保などを目的として、コントロールパネルの厚みは増す方向にある。【０００４】  その一方で、コントロールパネルの厚みが増すと、前扉の厚み方向の回転半径が大きくなり前扉を開いた時に遊技機の幅方向へ前扉の厚み方向の突出量が大きくなるため、隣に設置された遊技機またはコイン貸出装置等の装置と接触してしまうという問題が発生する。また、遊技機を設置する遊技場の営業時間内において突発的な不具合の対応を行う際には、前扉を開くことにより隣設する遊技機を操作している遊技者に対して圧迫感や不快感を与えることとなっていた。【０００５】  そのため、これまでは、遊技機と両隣の遊技機との間に十分にスペースを設け、遊技機の前扉を開く際に隣の遊技機に対して干渉したり、隣の遊技者に対して不快感を与えることがないようにされている。なお、そのスペースには、コイン貸出装置が設置されることもある。【０００６】  しかしながら、コイン貸出装置が設置されているとしても、１台の遊技機に１台のコイン貸出装置が必要であるわけではなく、２台の遊技機の間に１台のコイン貸出装置があればよい。したがって、遊技機を両隣の遊技機と十分なスペースを空けて設置することによって、遊技機を１台設置するためのスペースが大きく必要になるため、遊技場内に設置できる遊技機数が減少することとなっている。【０００７】  本発明は上記課題を解決したもので、遊技機の前扉を開放する際にコントロールパネルが遊技機の幅方向に突出し、隣に設置された遊技機に対して接触・干渉することのない遊技機の前扉用蝶番を提供する。
【課題を解決するための手段】
【０００８】  上記技術的課題を解決するために、本発明の請求項１において講じた技術的手段（以下、第１の技術的手段と称する。）は、前扉を蝶番によって開閉可能に本体に支持する遊技機であって、該蝶番は前記前扉を開閉する回転軸を略水平方向に配置していることを特徴とする遊技機である。【０００９】  上記第１の技術的手段による効果は、以下の通りである。前扉を蝶番によって開閉可能に本体に支持する遊技機において、蝶番の回転軸を略水平方向に配置することによって、この回転軸を中心として前扉を上下方向に開閉することが可能となる。これにより、前扉を開放した際に前扉が遊技機の幅方向に突出しない遊技機を提供することが可能となる。【００１０】  上記技術的課題を解決するために、本発明の請求項２において講じた技術的手段（以下、第２の技術的手段と称する。）は、前記遊技機は前記前扉と受け皿とを備え、前記前扉は前記受け皿と別体に開閉可能であることを特徴とする請求項１記載の遊技機である。【００１１】  上記第２の技術的手段による効果は、以下の通りである。前記遊技機は前記前扉と受け皿とを備え、前記前扉は前記受け皿と別体に開閉可能とすることによって、前扉の重量を軽減することができる。これにより、上下方向に回動することにより開放時に遊技機の幅方向に突出しない前扉の開閉を、より小さい力で行うことが可能となる。また、前扉の開閉の際に蝶番に掛かる負荷を軽減することができる。【００１２】  上記技術的課題を解決するために、本発明の請求項３において講じた技術的手段（以下、第３の技術的手段と称する。）は、前記遊技機は、投入されたコインを識別するコインセレクタと払い出されたコインを前記受け皿に送り出すコインシュートとを備え、前記コインセレクタ及び前記コインシュートは本体に搭載されていることを特徴とする請求項１または２記載の遊技機である。【００１３】  上記第３の技術的手段による効果は、以下の通りである。前記遊技機は投入されたコインを識別するコインセレクタとコインシュートとを備え、前記コインセレクタ及び前記コインシュートを本体に搭載することにより、従来コインセレクタやコインシュートを配設していた前扉を軽量化できる。これにより、上下方向に回動することにより開放時に遊技機の幅方向に突出しない前扉の開閉をより小さい力で行うことができ、さらに前扉を支持する蝶番に掛かる負荷を軽減することができる。【００１４】  上記技術的課題を解決するために、本発明の請求項４において講じた技術的手段（以下、第４の技術的手段と称する。）は、前記遊技機は、前記前扉と前記本体との間に前記前扉の開閉を制動する緩衝器を備えていることを特徴とする請求項１乃至３のいずれかに記載の遊技機である。【００１５】  上記第４の技術的手段による効果は、以下の通りである。前記遊技機は、前記前扉と前記本体との間に前記前扉の開閉を制動する緩衝器を備えることにより、前扉を支持する蝶番に係る負荷を軽減することができる。
【発明の効果】
【００１６】  以上のように、本発明は、前扉を蝶番によって開閉可能に本体に支持する遊技機であって、前記蝶番は前記前扉を開閉する回転軸を略水平方向に配置しているので、前扉は略水平に配置された蝶番の回転軸を中心に回動することによって開閉するため、前扉を開放した際に前扉前面が遊技機側面方向に対して突出する事が無くなる。したがって、前扉を開放した際に隣の遊技機に干渉することが無く、これにより隣で遊技機を操作している遊技者に対して不快感を与えることの無い遊技機を提供することができる。
【発明を実施するための最良の形態】
【００１７】  以下、本発明の実施例について、図面に基づいて説明する。
図１および図２は、本発明に係る遊技機１の構成を示したものであり、図１は前扉２を開放した状態、図２は前扉２を閉鎖した状態における遊技機１の側面図である。【００１８】  遊技機１は、遊技機を操作するためのコントロールパネルを備える前扉２と、前面に開口部を備える本体３と備えており、前扉２は本体３の開口部を被覆するように設けられ、錠装置５により本体３に固定される。また、前扉２の上面２ａは、蝶番４を介して本体３の開口部上端に枢支されており、前扉２は蝶番４により回動可能な構成となっている。【００１９】  前扉２は、遊技機１を操作する遊技者に対面し、遊技者に対面する前面には、遊技を行うためのレバーまたはボタンが配置されたコントロールパネルと、遊技機内１の本体３に納められたリール（図示しない）を遊技者に表示するための透過窓と、遊技機の視覚的演出を行う演出装置と、遊技を行うためにコインを投入するコイン投入口とを備えている。また、前扉２の上面２ａの後面には後述する蝶番４が連結され、前扉２は蝶番４を介して本体３に取り付けられる。【００２０】  本体３は、前面に開口部を備える略直方体状の箱体であり、開口部上端に蝶番４を介して前扉２を回動可能に軸支し、開口部下方には遊技機１から払い出されたコインを貯留するコイン受け皿３５を備え、前扉２に形成されたコイン投入口に対向する位置にはコイン投入口から投入されたコインを識別するコインセレクタ３６を備えている。また、本体３内部には、図示しないが、遊技によって回動し抽選結果を表示するリールと、抽選結果にしたがってコインを払い出すコイン送出装置と、リールやコイン送出装置などの制御を行う制御装置を備えている。ここで、リールは透過窓に対面するように配量されており、遊技者が透過窓を通してリールを視認することができる。また、コイン送出装置はコイン投入口から投入されたコインを受入れ内部に貯留するとともに、貯留したコインを制動装置の指示に従ってコインシュート３７を通してコイン受け皿３５に払い出すように配置されている。【００２１】  蝶番４は、平板状部材を成形してなる２枚の取付部材を回転軸により連結して構成され、一方の取付部材は他方に対して相対的に回転軸周りに回動可能となっている。また、蝶番４の一方の取付部材は前扉２、他方は本体３に固定し、前扉２を本体３に対して回動して開閉可能にする。【００２２】  また、前扉２と本体３との間にはガススプリング４６が配設される。ガススプリング４６は前扉２を開放する方向に付勢して前扉２を支持し蝶番４に係る負荷を軽減すると共に、ガススプリング４６の緩衝機能により前扉２の閉鎖状態への回動は制限され、前扉２の開放時において前扉２は自重により閉鎖しないようにされている。【００２３】  錠装置５は、前扉２後端部に配設される係止部材５１と、係止部材５１に対面して本体３に設けられる被係止部材５２とを備え、前扉２の閉鎖時において係止部材５１が被係止部材５２に係止することにより遊技機１の閉鎖状態が保持される。【００２４】  遊技機１は以上のような構造を備え、前扉２を閉じた時に前扉２が本体３の開口部を被覆すると共に、前扉２が本体３に対して回動し開口部を開放する蝶番４を本体３の上部に配置すること���より、開閉可能に前扉２を支持している。これにより、前扉２は遊技機の上下方向に開閉され遊技機１の幅方向について移動しないため、前扉２を開いた状態において前扉２は遊技機      １の幅方向について全く突出しない。【００２５】  次に、本実施例の遊技機１の作動について説明する。まず、前扉２が本体３に対して閉鎖している状態（図２参照）において説明を行う。前扉２が本体３に対して閉鎖している状態においては、前扉２の後面は本体３の前面にほぼ平行に配置されており、前扉２に配設された錠装置５の係止部材５１が、本体３に配設された錠装置５の被係止部材５２に係止することによって、本体３の開口部を閉鎖して遊技機１の閉鎖状態を保持する。【００２６】  次に、前扉２を開いた状態（図１参照）について説明を行う。前扉２を開いた状態においては、前扉２の後面は本体３の前面に対して略垂直な方向に配設されており、蝶番４およびガススプリング４６によって前扉２は開放状態に支持される。【００２７】  ここで、前扉２を閉鎖した状態から開放する場合は、錠装置５の係止部材５１と被係止部材５２の係合を解除し、前扉２を開くと蝶番４が回動し、これにより前扉２は蝶番４の回転軸を中心に回動を行う。これに伴い、前扉２および本体３の間に配設されたガススプリング４６がその両端部において回動するとともに、両端部の連結を維持するように長手方向に伸長し、前扉２を開放する方向へ押し上げることにより前扉２を開放する。【００２８】  また、前扉２を開放した状態から閉鎖する場合は、前扉２を支持するガススプリング４６の付勢力に抗して前扉２を閉鎖する方向に押し下げることにより、前扉２は蝶番４の回転軸を中心に回動を行う。これにより前扉２および本体３の間に配設されたガススプリング４６はその両端部において回動すると共に長手方向に縮小し、前扉２と本体３とに設けられた錠装置５の係止部材５１と被係止部材５２とが係合することにより前扉２は閉鎖される。【００２９】  以上のように、本実施例の遊技機１によれば、前扉２を本体３に対して回動可能に支持する蝶番４を略水平に配置することにより、前扉２を開閉する際に前扉２が略水平な軸を回転軸とすることにより前扉２が上下方向に回転することが可能となる。これによって前扉２開放時において前扉２が隣に配置された遊技機に干渉することを防止できる。【００３０】  また、遊技機１の前扉２をコイン受け皿３５と別体に回動して開閉可能とすることによって、前扉２の重量が軽減され前扉２の開閉をより小さい力で行うことが可能となる。また、前扉２を開閉する際に前扉２を支持する蝶番４に掛かる負荷を軽減することが可能となる。【００３１】  また、コインセレクタ３６及びコインシュート３７を本体３に搭載することにより、従来コインセレクタ３６やコインシュート３７を配設していた前扉２を軽量化でき、前扉２の開閉をより小さい力で行うことができ、さらに前扉２を支持する蝶番４に掛かる負荷を軽減することができる。【００３２】  さらに、遊技機１の前扉２と本体３との間に、前扉２の開閉を制動するとともに前扉２を開放する方向に付勢するガススプリング４６を配設することにより、前扉２を回動可能に支持する蝶番４に掛かる荷重を軽減することができ、また、前扉２開放状態において前扉２が閉鎖することを防止できる。【００３３】  なお、本実施例においては、遊技機１の前扉２をコイン受け皿３５と別体に回動して開閉可能としているが、コイン受け皿３５を本体３と別体として、前扉２とコイン受け皿３５とを一体に回動する構成とすることも可能である。【００３４】  また、本実施例においては、コインセレクタ３６及びコインシュート３７を本体３に搭載しているが、これらを本体３に代わり前扉２に配設することも可能である。【００３５】  また、本実施例においては、前扉２を制動すると共に開放する方向に付勢するガススプリング４６を、遊技機１の前扉２と本体３との間に配設しているが、これに限らず、常に前扉２を開方向に付勢するねじりバネを蝶番４に配設する等、前扉２の回動を制動可能な部材を用いることも可能である。また、本実施例においては、ガススプリング４６によって前扉２を開放する方向に付勢する構成としたが、これに限らず、ガススプリング４６に代えて、前扉２の開放状態において前扉２を係止する係止部材を配設することも可能である。
【図面の簡単な説明】
【００３６】
【図１】前扉を開放した状態における遊技機の構成を示す側面図である。
【図２】前扉を閉鎖した状態における遊技機の構成を示す側面図である。
【符号の説明】
【００３７】１…遊技機
２…前扉
３…本体
４…蝶番
３５…コイン受け皿（受け皿）
３６…コインセレクタ
３７…コインシュート
４６…ガススプリング（緩衝器）
【図１】
2005111223.tif 000003
【図２】
2005111223.tif 000004